【事件の表示】
　平成１１年特許願第３６５７５７号「符号分割多元衛星放送システム」拒絶査定不服審判事件〔平成１２年　７月１８日出願公開、特開２０００−２０１１１８〕について、次のとおり審決する。
【結　論】
　本件審判の請求は、成り立たない。
【理　由】
第１．手続の経緯・本願発明
　本願は、平成１１年１２月２４日（パリ条約による優先権主張１９９８年１２月２４日、米国）の出願であって、平成１６年７月２６日付けで拒絶査定がなされ、これに対して、平成１６年１０月２６日に拒絶査定不服審判の請求がなされるとともに、平成１６年１１月２５日付けで手続補正がなされたものであり、請求項１及び２３に係る発明（以下、それぞれ「本願発明１」、「本願発明２３」という。）は、平成１６年１１月２５日付けの手続補正書によって補正された特許請求の範囲の請求項１及び２３に記載された事項により特定される、以下のとおりのものと認める。
　
【請求項１】
　衛星放送システムにおいて番組信号を放送するための方法であって、
　前記番組信号のオンタイムバージョンを、第一の静止衛星から、第一の直交コードを用いて、搬送周波数上に放送するステップ；および
　前記番組信号の遅延バージョンを、前記第一の静止衛星から、第二の直交コードを用いて、前記搬送周波数上に放送するステップであって、受信機が前記番組信号の前記オンタイムバージョンおよび前記遅延バージョンのうちの少なくとも１つから前記番組信号を回復できるようにする該放送するステップを含むことを特徴とする方法。
　
【請求項２３】
　衛星放送システムにおいて用いる受信機であって、
　番組信号のオンタイムバージョンを、第一の直交コードと、擬似雑音系列との積を用いて復調するための手段；
　前記番組信号の前記遅延バージョンを、第二の直交コードと、前記オンタイムバージョンと同一の疑似ノイズ系列あるいは同一の疑似ノイズ系列の線形変換との積を用いて復調するための手段；および
　前記番組信号の前記復調されたオンタイムバージョンと遅延バージョンとの少なくとも一つから、前記番号信号を回復するための手段を備えることを特徴とする受信機。
　
第２．本願発明１について
１．刊行物の記載
（１）刊行物１の記載
　原査定の拒絶の理由に引用された、特開平７−１９３５５１号公報（以下、「刊行物１」という。）には、図面と共に以下の記載がなされている。
　
【特許請求の範囲】
【請求項１】  第１の放送信号を記録し一定時間間隔で遅延した第２から２以上の整数をｎとする第ｎまでの複数の放送信号を再生する記録再生装置と、第１から第ｎの放送信号を第１から第ｎの送信信号に変調する送信装置と、第１から第ｎの送信信号を中継衛星に送信する送信アンテナと、中継衛星を経由した第１から第ｎの送信信号を受信する受信アンテナと、第１から第ｎの受信信号を第１から第ｎの放送信号に復調する受信装置と、第１から第ｎ−１の放送信号を記録し受信信号強度が弱く第ｎの放送信号が表示に適さない場合に第１から第ｎ−１の放送信号までの記録から表示に適する記録を選択し再生する記録選択再生装置を備えたことを特徴とする衛星放送装置。
　
【請求項５】  第１から２以上の整数をｎとする第ｎの放送信号を１つのスペクトル拡散多重送信信号の中に変調する送信装置と、スペクトル拡散多重受信信号を第１から第ｎの放送信号に復調する受信装置を備えたことを特徴とする請求項１記載の衛星放送装置。
　
【０００１】
【産業上の利用分野】この発明は、移動体に対する衛星放送装置の改善に関するものである。
　
【００１６】
【実施例】
実施例１
図１はこの発明の一実施例を示す構成図であり、図において１は第１の放送信号、２は上記第１の放送信号１を記録し一定時間間隔で遅延させ再生する記録再生装置、３は上記記録再生装置２が再生する第２から第ｎの放送信号、４は上記第１の放送信号１と第２から第ｎの放送信号３を変調する送信装置、５は上記送信装置４で変調された第１から第ｎの送信信号、６は上記第１から第ｎの送信信号５を中継衛星７に電波を送信する送信アンテナ、８は上記中継衛星７から電波を受信する受信アンテナ、９は第１から第ｎの受信信号、１０は上記第１から第ｎの受信信号９を復調する受信装置、１１は上記受信装置１０で復調された第１から第ｎ−１の放送信号、１２は上記受信装置１０で復調された第ｎの放送信号、１３は第１から第ｎ−１の放送信号１１と第ｎの放送信号１２を記録し最も遅延した第ｎの送信信号１２の受信信号強度が弱く表示に適さない場合に第１から第ｎ−１の放送信号１１までの記録から表示に適する記録を選択し再生する記録選択再生装置、１４は表示装置である。
【００１７】上記のように構成された衛星放送装置において、記録再生装置２では第１の放送信号１を記録し一定時間間隔で第２から第ｎの放送信号３を再生することにより同時に一定時間遅延した複数の放送信号が得られる。送信装置４では第１の放送信号１と第２から第ｎの放送信号３をそれぞれ第１から第ｎの送信信号５に変調し、送信アンテナ６に伝え、中継衛星７に電波を送信する。中継衛星７から電波を受信する受信アンテナ９は第１から第ｎの受信信号９を受信装置１０に伝え、受信装置１０では第１から第ｎの受信信号９を第１から第ｎ−１の放送信号１１と第ｎの放送信号１２に復調する。記録選択再生装置１３では第１から第ｎ−１の放送信号１１と第ｎの放送信号１２を記録し、最も遅延した第ｎの放送信号１２を表示装置に伝え、第ｎの放送信号１２が表示に適さない受信信号強度以下では第１から第ｎ−１の放送信号１１までの記録から第ｎの放送信号１２に繋がり表示に適する受信信号強度の記録を選択再生し表示装置１４に伝える。
【００１８】したがって、移動体に取り付けられた受信アンテナ８が障害物により中継衛星７からの電波を遮蔽されたとき、第１から第ｎの受信信号９はいずれも障害物の遮蔽がなくなるまで充分な受信信号強度を得ることができないが、記録選択再生装置１３に記録された第１から第ｎ−１の放送信号１１の中で第ｎの放送信号１２に繋がり表示に適する受信信号強度の記録を選択再生するので表示装置１４による放送信号の表示が途切れることがない。
　
【００２２】実施例５
図５はこの発明の他の実施例を示す構成図であり、２５は第１の放送信号１から第２から第ｎの放送信号３をスペクトル拡散多重変調する送信装置、２６は上記送信装置２１で変調されたスペクトル拡散送信信号、２７は送信アンテナ６から中継衛星７を経由し受信アンテナ８で受信したスペクトル拡散多重受信信号、２８は上記スペクトル拡散多重受信信号２３を第１から第ｎ−１の放送信号１１と第ｎの放送信号１２に復調する受信装置である。送信装置２５では第１の放送信号１から第２から第ｎの放送信号３を同一周波数帯域、同一時間軸にスペクトル拡散してスペクトル拡散多重送信信号２６に変調する。受信装置２８ではスペクトル拡散多重受信信号２７を第１から第ｎ−１の放送信号１１と第ｎの放送信号１２に復調する。したがって、移動体に取り付けられた受信アンテナ８が障害物により中継衛星７からの電波を遮蔽されたとき、スペクトル拡散多重受信信号２７は障害物の遮蔽がなくなるまで充分な受信信号強度を得ることができないが、記録選択再生装置１３に記録された第１から第ｎ−１の放送信号１１の中で第ｎの放送信号１２に繋がり表示に適する受信信号強度の記録を選択再生するので表示装置１４による放送信号の表示が途切れることがない。
　
【００２７】また、一定時間間隔で遅延した複数の放送信号をスペクトル拡散多重し１つの送信信号に変調し中継衛星に送信する装置と、移動体に搭載された受信側において中継衛星から送信信号を受信し一定時間間隔で遅延した放送信号に復調する装置を備えたことにより、同様の効果がある。また変調された送信信号は空間中の雑音や干渉に対して強いという効果がある。
　
　
　以上の記載により、刊行物１には、次の発明（以下、「刊行物１記載発明」という。）が記載されていると認められる。なお、【００２２】の「上記送信装置２１で」、「２８は上記スペクトル拡散多重受信信号２３を」は、それぞれ、「上記送信装置２５で」、「２８は上記スペクトル拡散多重受信信号２７を」の誤記と認められる。
　
　放送信号を放送する衛星放送装置であって、
　第１の放送信号１を記録し一定時間間隔で遅延させ再生し、第２から第ｎの放送信号を出力する記録再生装置２、
　第１の放送信号１から第２から第ｎの放送信号３を同一周波数帯域、同一時間軸にスペクトル拡散してスペクトル拡散多重送信信号２６に変調する送信装置２５、
　スペクトル拡散送信信号２６を中継衛星７に送信する送信アンテナ６、
　中継衛星７を経由したスペクトル拡散多重受信信号を受信し、スペクトル拡散多重受信信号２７を出力する受信アンテナ８、
　上記スペクトル拡散多重受信信号２３を第１から第ｎ−１の放送信号１１と第ｎの放送信号１２に復調する受信装置２８、
　移動体に取り付けられた受信アンテナ８が障害物により中継衛星７からの電波を遮蔽されたとき、第１から第ｎ−１の放送信号１１の中で第ｎの放送信号１２に繋がり表示に適する受信信号強度の記録を選択再生する記録選択再生装置１３と
　を備えた衛星放送装置。
　
（２）刊行物２の記載
　原査定の拒絶の理由に引用された、国際公開第９７／４５９７０号（以下、「刊行物２」という。）には、以下の記載がなされている。
　
　　　　　　　　　SUMMARY OF THE INVENTION
　　　A novel and improved method and apparatus for high rate CDMA wireless communication is described. In accordance with one embodiment of the invention, a set of individually gain adjusted subscriber channels are formed via the use of a set of orthogonal subchannel codes having a small number of PN spreading chips per orthogonal waveform period. Data to be transmitted via one of the transmit channels is low code rate error correction encoded and sequence repeated before being modulated with one of the subchannel codes, gain adjusted, and summed with data modulated using the other subchannel codes. The resulting summed data is modulated using a user long code and a pseudorandom spreading code (PN code) and upconverted for transmission. The use of the short orthogonal codes provides interference suppression while still allowing extensive error correction coding and repetition for time diversity to overcome the Raleigh fading commonly experienced in terrestrial wireless systems. In the exemplary embodiment of the invention provided, the set of sub-channel codes are comprised of four Walsh codes, each orthogonal to the remaining set and four chips in duration. The use of four sub-channels is preferred as it allows shorter orthogonal codes to be used, however, the use of a greater number of channels and therefore longer codes is consistent with the invention.
（４ページ１−２２行）
　
　　　Fig. 4 is a block diagram of modulator 104 of Fig. 2 configured in accordance with the exemplary embodiment of the invention. The BPSK symbols from BPSK channel encoder 103 are each modulated by Walsh code W2 using a multiplier 150b, and the QPSKI and QPSKQ symbols from QPSK channel encoder 102 are each modulated with Walsh code W3 using multipliers 150c and 154d. The power control data (PC) is modulated by Walsh code W1 using multiplier 150a. 
（８ページ１８−２４行）
　
　　　1. 　　A method for generating modulated data for transmission from a first subscriber unit in a set of subscriber units to a base station in communication with the set of subscriber units comprising the steps of:
　　　　　　a) modulating first data with a first orthogonal code to generate first channel data;
　　　　　　b) modulating second data with a second modulation code to produce second channel data;
　　　　　　c) summing said first channel data and said second channel data to generate summed data; and
　　　　　　d) modulating said summed data with a long code to generate the modulated data.
（２０ページ１−１１行）
　
（３）刊行物３の記載
　原査定の拒絶の理由に引用された、特開平９−１８４５０号公報（以下、「刊行物３」という。）には、以下の記載がなされている。
　
【０００２】
【従来の技術】従来、１帯域内で複数のチャンネル分のデータを伝送する際には、一般的に、データを分割多重化することが行われている。この分割多重を行う方式としては、周波数分割多重、いわゆるＦＤＭ（Frequency Division Multiplex）方式、時分割多重、いわゆるＴＤＭ（Time Division Multiplex）方式、符号分割多重、いわゆるＣＤＭ（Code Division Multiplex）方式等がある。
【０００３】このＣＤＭ方式は、複数チャンネルから成る、異なるデータレートにより複数の階層分けされたデータに対して、それぞれの階層を識別できるように重み付けを行って、さらに、同一の時間−周波数空間に拡散している直交符号を用いて直交変換を行うことにより各チャンネルの区分を行い、畳み込み符号化及びパンクチャド符号化によってチャンネル毎に符号化率を変えて誤り訂正することにより、データの重要度に応じて階層化伝送を行うものである。このＣＤＭ方式を用いることにより、放送の分野においては、他の分割多重方式よりも階層的な伝送を容易に実現することができ、移動体通信の分野においては、直接拡散によるスペクトル拡散方式と組み合わせることにより、他の分割多重方式よりも通話容量を大きくすることができる。
　
２．対比　
　本願発明１と刊行物１記載発明を対比すると、刊行物１記載発明の「放送信号」は、本願発明１の「番組信号」に相当する。
　
　刊行物１記載発明の「第１の放送信号」、ｎ＝２としたときの第１の放送信号を遅延させた「第２の放送信号３」は、それぞれ本願発明１の「番組信号のオンタイムバージョン」、「番組信号の遅延バージョン」に相当する。
　
　刊行物１記載発明の「中継衛星７」は、本願発明１の「第一の静止衛星」と、第一の衛星である点で共通する。
　
　刊行物１記載発明のｎ＝２としたときの「衛星放送装置が、送信装置２５で第１の放送信号１から第２の放送信号３を同一周波数帯域、同一時間軸にスペクトル拡散してスペクトル拡散多重送信信号２６に変調し、送信アンテナ６でスペクトル拡散送信信号２６を中継衛星７に送信する」ことは、
　本願発明１の「前記番組信号のオンタイムバージョンを、第一の静止衛星から、第一の直交コードを用いて、搬送周波数上に放送するステップ；および
　前記番組信号の遅延バージョンを、前記第一の静止衛星から、第二の直交コードを用いて、前記搬送周波数上に放送するステップ」と、
　番組信号のオンタイムバージョンを、第一の衛星から、搬送周波数上に放送し、前記番組信号の遅延バージョンを、前記第一の衛星から、前記搬送周波数上に放送する点で共通する。
　
　刊行物１記載発明の「受信アンテナ８」、「受信装置２８」及び「記録選択再生装置１３」は、放送信号を受信するから、本願発明１の「受信機」といえる。
　
　刊行物１記載発明の記録選択再生装置１３が移動体に取り付けられた受信アンテナ８が障害物により中継衛星７からの電波を遮蔽されたとき、「第１の放送信号１１の中で第２の放送信号１２に繋がり表示に適する受信信号強度の記録を選択再生する」ことは、
　本願発明１の「受信機が前記番組信号の前記オンタイムバージョンおよび前記遅延バージョンのうちの少なくとも１つから前記番組信号を回復できるようにする該放送するステップ」と、
　受信機が番組信号のオンタイムバージョンおよび遅延バージョンのうちの少なくとも１つから番組信号を回復できるようにする点で共通する。
　
　刊行物１記載発明の衛星放送装置は、衛星放送システムにおいて番組信号を放送しているから、本願発明１の「衛星放送システムにおいて番組信号を放送するための方法」といえる。
　
　したがって、両者の発明の一致点、相違点は、以下のとおりである。　
　
［一致点］
　「　衛星放送システムにおいて番組信号を放送するための方法であって、
　前記番組信号のオンタイムバージョンを、第一の衛星から、搬送周波数上に放送するステップ；および
　前記番組信号の遅延バージョンを、前記第一の衛星から、前記搬送周波数上に放送するステップであって、受信機が前記番組信号の前記オンタイムバージョンおよび前記遅延バージョンのうちの少なくとも１つから前記番組信号を回復できるようにする該放送するステップを含むことを特徴とする方法」である点。
　
［相違点］
・相違点１
　「第一の衛星」が、本願発明１では、「静止衛星」であるのに対して、刊行物１記載発明では、中継衛星である点。
　
・相違点２
　「番組信号のオンタイムバージョンを、搬送周波数上に放送するステップ」及び「前記番組信号の遅延バージョンを、前記搬送周波数上に放送するステップ」が、本願発明１では、それぞれ、「第一の直交コードを用いて、」搬送周波数上に放送するステップ、「第二の直交コードを用いて、」前記搬送周波数上に放送するステップであるのに対して、刊行物１記載発明は、第１の放送信号１と第２から第ｎの放送信号３を同一周波数帯域、同一時間軸にスペクトル拡散してスペクトル拡散多重送信信号にするものの、そのような直交コードを用いるのか明らかではない点。
　
３．判断
（１）相違点１について
　特開平１０−３０８９４号公報（平成１０年１１月１７日公開）（【０００１】の「本発明は、赤道上空の静止軌道に配置される静止衛星を利用して、映像、音声、データ等のデジタル放送を提供する衛星放送システムに関する。」）、
　Ｊ．Ｎ．ペルトン、２１世紀の移動通信技術、変わるネット社会  １版、別冊  日経サイエンス１２５、株式会社日経サイエンス、１９９８年１２月１日、２０−２７ページ（２４ページ左欄６−１０行の「通信における最も急速に成長しつつあるサービスは，衛星放送だろう。これは，世界中の２０００万人以上の視聴者にビーム信号を送出する静止衛星を用いる放送である。」）などに記載されているように、
　衛星放送システムにおいて静止衛星を用いることは周知技術である。
　
　そして、刊行物１記載発明の「中継衛星」を、静止衛星とすることは、設計事項である。
　
（２）相違点２について
　刊行物２、刊行物３などに記載されているように、第一の直交コードを用いて第一の信号を搬送周波数上に送信し、第二の直交コードを用いて第二の信号を前記搬送周波数上に送信することは、周知技術である。
　
　そして、刊行物１記載発明の番組信号のオンタイムバージョンと前記番組信号の遅延バージョンを、同一周波数帯域、同一時間軸にスペクトル拡散してスペクトル拡散多重送信信号にすることに前記周知技術を適用して、「番組信号のオンタイムバージョンを、第一の静止衛星から、第一の直交コードを用いて、搬送周波数上に放送するステップ；および前記番組信号の遅延バージョンを、前記第一の静止衛星から、第二の直交コードを用いて、前記搬送周波数上に放送するステップ」とすることは、当業者が容易に為し得たことである。
　
４．小むすび
　以上のとおりであるから、本願発明１は、刊行物１記載発明及び周知技術に基づいて、当業者が容易に発明をすることができたものであるから、特許法第２９条第２項の規定により特許を受けることができない。
　
第３．本願発明２３について
１．刊行物の記載
（１）刊行物４の記載
　原査定の拒絶の理由に引用された、米国特許第５５９２４７１号明細書（以下、「刊行物４」という。）には、図面と共に以下の記載がなされている。
　
（ア）
　　FIG. 3 shows a mobile radio receiver in a multi-satellite broadcast system using a central origination facility configured to provide both spatial and time diversity. For simplicity, only two satellites are shown. The technical operation at the central origination facility is similar to FIG. 2 with three differences. One difference is that a 2-second delay is used for illustration. A second difference is that two uplink satellite antennas are used. Third, the two program signals are modulated using spread spectrum with two specific pseudo-noise codes which are orthogonal to each other. This allows both program signals to be transmitted at the same radio frequency, and shows that time diversity operation is feasible with a wide range of modulation types. The two satellites receive the transmissions at frequency f1 and, identically to the satellite in FIG. 2, retransmit f1 at translated frequency f2 to the desired geographical service area. The mobile radio receivers in the service area receive the f2 transmissions with the orthogonal pseudo-noise codes. Their technical operation is described below with reference to FIG. 8. Since both satellites carry the same program, spatial diversity is also available in this illustration. Spatial diversity mitigates service outages from blockage and multipath which includes situations where the blockage of one satellite is longer than the service outage avoidance period provided in the mobile receiver, where the mobile receiver is slowly moving or stopped, etc.
（４欄３８−６３行）
　
（イ）
　　FIG. 8 shows a generalized block diagram of a single frequency mobile radio receiver configured for time diversity operation. The configuration is compatible with the broadcast system described in FIG. 3. It operates identically with that described in FIG. 7, except that the two demodulators are designed for spread spectrum demodulation with isolation between the two transmissions obtained by code division multiple access (CDMA) using two orthogonal pseudo-noise codes.
（第５欄３５−４３行）
　
（ウ）
　Fig. 3 には、 SPLITTER は、PROGRAM GENERATOR の出力信号が入力され、
　2 SEC DELAY は、SPLITTER の一方の出力信号が入力され、
　SPREAD SPECTRUM MODULATOE PN CODE 1 は、SPLITTER の他方の出力信号が入力され、
　SPREAD SPECTRUM MODULATOE PN CODE 2 は、2 SEC DELAY の出力信号が入力され、
　SPREAD SPECTRUM MODULATOE PN CODE 1 の出力信号及び SPREAD SPECTRUM MODULATOE PN CODE 2 の出力信号は、それぞれ、周波数 f1 で送信され、周波数 f2 で中継されて MOBILE VEHICLES WITH RECEIVERS AS SHOWN IN FIGURES 78 で受信されることが、図示されている。
　
（エ）
　Fig. 8 には、SPREAD SPECTRUM DEMODULATOE PN CODE 1 及び SPREAD SPECTRUM DEMODULATOE PN CODE 2 は、いずれも衛星からの受信信号が入力され、
　 SELECTOR OR COMBINER は、SPREAD SPECTRUM DEMODULATOE PN CODE 1 の出力信号と SPREAD SPECTRUM DEMODULATOE PN CODE 2 の出力信号とが入力され、MOBILE RECEIVER OUTPUT TO PROGRAM PRESENTATION DEVICE(S) を出力することが、図示されている。
　また、PSEUDO-NOISE CODE 1 IS ORTHOGONAL TO PSUEDO-NOISE CODE 2 と記載されている。
　
　以上の刊行物４の記載によれば、刊行物４には以下の事項が開示されていると認められる。なお、Fig. 8 の「PSUEDO-NOISE」は、「PSEUDO-NOISE」の誤記と認められる。
　
　刊行物４の上記（ア）の「FIG. 3 shows a mobile radio receiver in a multi-satellite broadcast system using a central origination facility configured to provide both spatial and time diversity.」という記載から、刊行物４には、衛星放送システムにおいて用いる受信機が開示されていると認められる。
　
　刊行物４の上記（エ）の「PSEUDO-NOISE CODE 1 IS ORTHOGONAL TO PSEUDO-NOISE CODE 2」という記載から、刊行物４には、第一の直交コードと第二の直交コードが開示されていると認められる。
　
　以上の記載によれば、刊行物４には、次の発明（以下、「刊行物４記載発明」という。）が開示されていると認められる。
　
　衛星放送システムにおいて用いる受信機であって、
　番組信号を、第一の直交コードでスペクトラム拡散復調する手段と、
　２秒遅延された前記番組信号を、第二の直交コードでスペクトラム拡散復調する手段と、
　番組信号の２つの復調された信号から、番組プレゼンテーション・デバイスに出力する信号を回復する手段と、
　を備える受信機。
　
（２）刊行物５の記載
　特許第２８０１９６７号公報（平成１０年９月２１日発行）（以下、「刊行物５」という。）には、図面と共に以下の記載がなされている。
　
　移動局13はその通知された拡散コードCiに応じて共通拡散コードCcjとその基地局12iに応じた識別拡散コードCIiとを選択発生し、これらを乗算器25で乗算し、その乗算出力系列を受信拡散系列Ｒに対し相関器26で逆拡散し復調器28で復調して情報系列を再生する。
(１９欄１３−１８行）
　
　更に共通拡散コード、識別拡散コードとしてはGold系列のみならず、ｎ系列、PN符号その他のものでもよい。
（２０欄１４−１７行）
　
（３）刊行物６の記載
　特開平９−５５６８５号公報（以下、「刊行物６」という。）には、図面と共に以下の記載がなされている。
　
【０００１】
【発明が属する技術分野】この発明は、スペクトラム拡散通信における直接拡散符号分割多元接続方式、特に短周期拡散符号と、長周期拡散符号とにより二重拡散を行うスペクトラム拡散送信及び受信機に関するものである。
　
【０００４】上記の短周期拡散符号SCS はショートコードと呼ばれ、その符号周期は図２に示すようにベースバンド変調信号b(n)のシンボル周期ＴS と同じ長さを有し、各シンボルb(1)，b(2)，…をスペクトラム拡散する。一方、長周期拡散符号SCL はロングコードと呼ばれ、数10〜数100 シンボル長相当の非常に長い周期ＴL の符号であり、他セル（ゾーン）からの受信信号をランダム化するために用いられる。このロングコードは通常、長周期のＰＮ系列が用いられ、同一セル内では同一のものが、セルが異なると異なるものが割当てられる。
　
【００５０】
　…（中略）…図１７に示すようにショートコード発生器33S からの短周期拡散符号とロングコード発生器33L からの長周期拡散符号を排他的論理和回路34X で合成して、合成拡散符号を生成し、一方でその合成拡散符号を１つの乗算器で構成された逆拡散部321 に与えて先行波の拡散ベースバンド受信信号に乗算し、その乗算結果を積分器351 で平滑化して逆拡散信号を得て、他方で合成拡散符号を遅延回路３６で所定の遅延時間だけ遅延してから１つの乗算器で構成された逆拡散部322 に与えて遅延波の拡散ベースバンド受信信号に乗算し、その乗算結果を積分器352で平滑化して逆拡散信号を得るように構成してもよいことは明かである。
　
（４）刊行物７の記載
　米国特許第５１０３４５９号公報（１９９２年４月７日発行）（以下、「刊行物７」という。）には、図面と共に以下の記載がなされている。
　
　　All signals transmitted by a cell or one of the sectors of the cell share the same outer PN codes for the I and Q channels. The signals are also spread with an inner orthogonal code generated by using Walsh functions. A signal addressed to a particular user is multiplied by the outer PN sequences and by a particular Walsh sequence, or sequence of Walsh sequences, assigned by the system controller for the duration of the user's telephone call. The same inner code is applied to both the I and Q channels resulting in a modulation which is effectively bi-phase for the inner code.
　　It is well known in the art that a set of n orthogonal binary sequences, each of length n, for n any power of 2 can be constructed, see Digital Communications with Space Applications, S. W. Golomb et al., Prentice-Hall, Inc, 1964, pp. 45-64. In fact, orthogonal binary sequence sets are also known for most lengths which are multiples of four and less than two hundred. One class of such sequences that is easy to generate is called the Walsh function, also known as Hadamard matrices.
（１０欄４−２４行）
　
　　As illustrated in FIG. 3, receiver 36 includes two PN generators, PN generators 120 and 122, which generate two different short code PN sequences of the same length. These two PN sequences are common to those of all cell-site receivers and all mobile units with respect to the outer code of the modulation scheme as discussed in further detail later herein. PN generators 120 and 122 thus respectively provide the output sequences, PNI and PNQ. The PNI and PNQ sequences are respectively referred to as the In-Phase (I) and Quadrature (Q) channel PN sequences.
（１５欄３６−４６行）
　
　　In the exemplary embodiment receiver 36 also includes a long code PN generator 124 which generates a PNU sequence corresponding to a PN sequence generated by the mobile unit in the mobile-to-cell link. PN generator 124 can be a maximal-length linear sequence generator that generates a user PN code that is very long, for example degree 42, time shifted in accordance with an additional factor such as the mobile unit address or user ID to provide discrimination among users. Thus the cell-site received signal is modulated by both the long code PNU sequence and the short code PNI and PNQ sequences. In the alternative, a non-linear encryption generator, such as an encryptor using the data encryption standard (DES) to encrypt a 64-symbol representation of universal time using a user specific key, may be utilized in place of PN generator 124.
　　The PNU sequence output from PN generator 124 is exclusive-OR'ed with the PNI and PNQ sequences respectively in exclusive-OR gates 126 and 128 to provide the sequences PNI ' and PNQ '.
　　The sequences PNI ' and PNQ ' are provided to PN QPSK correlator 130 along with the I and Q channel signals output from receiver 32. Correlator 130 is is utilized to correlate the I and Q channel data with the PNI ' and PNQ ' sequences. The correlated I and Q channel outputs of correlator 130 are respectively provided to accumulators 132 and 134 where the symbol data is accumulated over a 4-chip period. The outputs of accumulators 132 and 134 are provided as inputs to Fast Hadamard Transform (FHT) processor 136. FHT processor 148 produces a set of 64 coefficients for every 6 symbols. The 64 coefficients are then multiplied by a weighing function generated in control processor 48. The weighting function is linked to the demodulated signal strength. The weighted data output from FHT 136 is provided to diversity combiner and decoder circuitry 50 (FIG. 2) for further processing.
（１５欄５８行−１６欄２６行）
　
２．対比
　本願発明２３と刊行物４記載発明とを対比すると、刊行物４記載発明の「番組信号」、「２秒遅延された番組信号」は、それぞれ、本願発明の「番組信号のオンタイムバージョン」、「番組信号の遅延バージョン」といえる。
　
　刊行物４記載発明の「スペクトラム拡散復調する手段」は、本願発明２３の「復調するための手段」といえる。
　
　したがって、両者の発明の一致点、相違点は、以下のとおりである。　
　
［一致点］
　「　衛星放送システムにおいて用いる受信機であって、
　番組信号のオンタイムバージョンを、復調するための手段；
　前記番組信号の前記遅延バージョンを、復調するための手段；および
　前記番組信号の前記復調されたオンタイムバージョンと遅延バージョンとの少なくとも一つから、前記番号信号を回復するための手段を備えることを特徴とする受信機。」である点。
　
［相違点］
　「番組信号のオンタイムバージョンを、復調するための手段」、「前記番組信号の前記遅延バージョンを、復調するための手段」が、
　本願発明２３では、それぞれ「第一の直交コードと、擬似雑音系列との積を用いて」復調し、「第二の直交コードと、前記オンタイムバージョンと同一の疑似ノイズ系列あるいは同一の疑似ノイズ系列の線形変換との積を用いて」復調するのに対して、
　刊行物４記載発明では、第一の直交コードでスペクトラム拡散復調し、第二の直交コードでスペクトラム拡散復調する点。
　
３．判断
　刊行物５、刊行物６及び刊行物７などに記載されているように、拡散コードと、疑似雑音系列や疑似ノイズ系列との積を用いて復調するための手段は、周知技術である。
　
　そして、刊行物４記載発明の「番組信号のオンタイムバージョンを、復調するための手段」及び「前記番組信号の前記遅延バージョンを、復調するための手段」に前記周知技術を適用して、「番組信号のオンタイムバージョンを、第一の直交コードと、擬似雑音系列との積を用いて復調するための手段」及び「前記番組信号の前記遅延バージョンを、第二の直交コードと、前記オンタイムバージョンと同一の疑似ノイズ系列あるいは同一の疑似ノイズ系列の線形変換との積を用いて復調するための手段」とすることは、当業者が容易に為し得たことである。
　
４．小むすび
　以上のとおりであるから、本願発明２３は、刊行物４記載発明及び周知技術に基づいて、当業者が容易に発明をすることができたものであるから、特許法第２９条第２項の規定により特許を受けることができない。
　
第４．むすび
　以上のとおり、本願発明１は、刊行物１記載発明及び周知技術に基づいて、また、本願発明２３は、刊行物４記載発明及び周知技術に基づいて、当業者が容易に発明をすることができたものであるから、特許法第２９条第２項の規定により特許を受けることができない。
　したがって、本願は、その他の請求項について検討するまでもなく、拒絶すべきものである。
　
　よって、結論のとおり審決する。